(57)【要約】【課題】  ＩＦ帯の移相器はアナログ素子で構成され、温度などの影響で移相量の変動が生じ易く、特にＩＦ信号が広帯域の場合、帯域内の全周波数で高精度な90度の移相量の実現が困難で、抑圧量が低下する。【解決手段】  位相データ生成手段１から出力された位相設定データは２分配され、一方は第１のＤＤＳ３に直接入力し、他方は位相設定データを変換するデータ変換手段１１を介して、第２のＤＤＳ１２に入力する。データ変換手段１１は、入力した位相設定データを変換して、第２のＤＤＳ１２から第１のＤＤＳとは位相が90度進んだＩＦ信号を出力するための位相設定データを出力する。これにより、第２のＤＤＳ１２からは、第１のＤＤＳ３から出力されるＩＦ信号に比べて90度位相が進んだＩＦ信号が出力され、第1、第２のミクサ４、５に入力され、ＬＯ源１０からのＬＯ波と混合されてＲＦ信号に変換されて出力される。【選択図】  図１
2009159604.tif 000002
【特許請求の範囲】
【請求項１】
位相設定データを生成する位相データ生成部と、クロックを生成するクロック生成部と、互いに位相が90度異なる局部発振波を生成する局部発振波生成部と、前記位相データ生成部から位相が90度異なる位相設定データがそれぞれ入力されると共に、前記クロック生成部から同一のクロックがそれぞれ入力され、互いの位相が90度異なるＩＦ信号を出力する第１のＤＤＳと第２のＤＤＳと、前記第１のＤＤＳと前記第２のＤＤＳから出力されたＩＦ信号のそれぞれが入力されると共に、前記局部発振波生成部から出力された局部発振波のそれぞれが入力され、周波数変換する第１のミクサと第２のミクサと、を備え、前記第１のミクサと第２のミクサの出力を合成して出力することを特徴とする信号生成装置。
【請求項２】
前記位相データ生成部に前記第１のＤＤＳまたは前記第２のＤＤＳの少なくとも一方へ入力される位相設定データを補正し、前記第１のミクサと前記第２のミクサの出力の位相誤差を相殺する位相設定データ補正手段を備えたことを特徴とする請求項１記載の信号生成装置。
【請求項３】
位相設定データを生成する位相データ生成部と、クロックを生成するクロック生成部と、互いに位相が90度異なる局部発振波を生成する局部発振波生成部と、前記位相データ生成部から同一の位相設定データがそれぞれ入力されると共に、前記クロック生成部から位相が90度異なるクロックがそれぞれ入力され、互いの位相が90度異なるＩＦ信号を出力する第１のＤＤＳと第２のＤＤＳと、前記第１のＤＤＳと前記第２のＤＤＳから出力されたＩＦ信号のそれぞれが入力されると共に、前記局部発振波生成部から出力された局部発振波のそれぞれが入力され、周波数変換する第１のミクサと第２のミクサと、を備え、前記第１のミクサと前記第２のミクサの出力を合成して出力することを特徴とする信号生成装置。
【請求項４】
前記クロック生成部に前記第１のＤＤＳまたは前記第２のＤＤＳの少なくとも一方へ入力されるクロックを補正し、前記第１のミクサと前記第２のミクサの出力の位相誤差を相殺するクロック補正手段を備えたことを特徴とする請求項３記載の信号生成装置。
【請求項５】
前記第１のミクサと前記第２のミクサへそれぞれ入力する前記第１のＤＤＳと前記第２のＤＤＳから出力されるＩＦ信号を入れ替える切り替えスイッチを備えたことを特徴とする請求項１〜４のいずれか１項に記載の信号生成装置。
【請求項６】
前記第１のＤＤＳと前記第２のＤＤＳへそれぞれ入力する前記位相データ生成部から出力される前記位相設定データを入れ替える切り替えスイッチを備えたことを特徴とする請求項１〜４のいずれか１項に記載の信号生成装置。
【請求項７】
前記第１のＤＤＳと前記第２のＤＤＳへそれぞれ入力する前記クロック生成部から出力される前記クロックを入れ替える切り替えスイッチを備えたことを特徴とする請求項１〜４のいずれか１項に記載の信号生成装置。
【請求項８】
前記第１のミクサと前記第２のミクサへそれぞれ入力する前記第１のＤＤＳと前記第２のＤＤＳから出力されるＩＦ信号のそれぞれの経路の少なくとも一方に、前記ＩＦ信号の振幅を制御するＩＦ信号振幅調整回路を備えたことを特徴とする請求項１〜７のいずれか１項に記載の信号生成装置。
【請求項９】
前記第１のミクサと前記第２のミクサへそれぞれ入力する前記局部発振波生成部から生成される互いに位相が90度異なる局部発振波のそれぞれの経路の少なくとも一方に、前記局部発振波の振幅を制御する局部発振波振幅調整回路を備えたことを特徴とする請求項１〜７のいずれか１項に記載の信号生成装置。
【請求項１０】
前記第１のミクサと前記第２のミクサの出力が合成されるまでのそれぞれの経路の少なくとも一方に、前記出力の振幅を制御する出力振幅調整回路を備えたことを特徴とする請求項１〜７のいずれか１項に記載の信号生成装置。
【請求項１１】
前記ＩＦ信号振幅調整回路と前記局部発振波振幅調整回路と前記出力振幅調整回路の少なくとも２つを備えたことを特徴とする請求項１〜７のいずれか１項に記載の信号生成装置。
【請求項１２】
請求項１〜１１のいずれか１項に記載の信号生成装置を局部発振源に備えたことを特徴とする送受信機。
【請求項１３】
請求項１〜１１のいずれか１項に記載の信号生成装置を変調器に備えたことを特徴とする送信機。
【発明の詳細な説明】
【技術分野】
【０００１】
この発明は、入力されたＩＦ信号をＬＯ信号と混合してＲＦ信号を出力するイメージリジェクションミクサを有する信号生成装置並びに該信号生成装置を用いた送信機及び送受信機に関するものである。
【背景技術】
【０００２】
ダイレクトディジタルシンセサイザ（ＤＤＳ）は外部からクロックと位相データを入力することで任意の位相の信号を出力することができる。これを利用して、任意の周波数の正弦波を発生する回路として、また位相変調器および周波数変調器として用いられる。位相の設定精度Δθ（度）は、設定ワードのビット長Ｌにより
Δθ＝３６０／２Ｌ
と表される。Ｌ＝１６ビットとすると、Δθ＝０．００５５度と非常に高精度な位相設定が可能である。周波数の設定精度ΔＦはＤＤＳに入力するクロックの周波数ｆＣＬＫと、前記の設定ワードのビット長Ｌにより次式で与えられる。
【０００３】
ΔＦ＝ｆＣＬＫ／２Ｌ
例えば、ｆＣＬＫ＝100MHz、L=16ビットとするとΔＦ＝１．５２６ｋＨｚと非常に細かなステップで周波数を可変できることになる。ただしＤＤＳの出力周波数は比較的低いため、ＲＦ帯の信号を得ようとする場合はイメージリジェクションミクサ（ＩＲＭ）を組み合わせて用いられる場合がある。
【０００４】
次に、特開平９−１１６５７７号公報を参照して、イメージリジェクションミクサ（ＩＲＭ）を有する信号生成装置の構成を図１９に示す。図中、１はＤＤＳから出力される信号の位相を設定するためのデータを生成する位相データ生成手段、２はＤＤＳを動作させるためのクロックを出力するクロック源、３は第１のＤＤＳ、４と５はそれぞれ第１、第２のミクサ、６はＩＦ帯の90度移相器、７は局部発振波（ＬＯ波）用９０度移相器、８はＩＲＭ、９はＲＦ端子、１０はＩＲＭ８のＬＯ源である。
【０００５】
位相データ生成手段１から出力されるディジタルデータである位相設定データと、クロック源２からのクロックによって、第１のＤＤＳ３で発生した任意の周波数の正弦波、または位相変調波または周波数変調波(以後、ＩＦ信号と呼ぶ)は、ＩＲＭ８によりＲＦ帯に周波数変換されてＲＦ端子９から出力される。ＩＦ信号とＩＲＭ８から出力されるＲＦ帯の信号のスペクトラムを図２０に示す。周波数ｆＩＦのＩＦ信号は第１、第２のミクサ４、５においてＬＯ源１０からのＬＯ波と混合され、第１のミクサ４と第２のミクサ５のそれぞれから、ＬＯ波とＩＦ信号の和周波数成分(fRF_USB)と、ＬＯ波とＩＦ信号の差周波数成分(fRF_LSB)が出力される。このとき、ＩＦ帯の９０度移相器６およびＬＯ波用90度移相器７によりＩＦ信号とＬＯ波は90度位相が異なる状態で第１、第２のミクサに入力するため、第1のミクサ４と第２のミクサ５から出力されるＬＯ波とＩＦ信号の差周波数成分(fRF_LSB)は位相が１８０度異なり、和周波数成分(fRF_USB)は位相が等しくなる。このため、２つのミクサ出力を合成すると差周波数成分(fRF_LSB)は打ち消しあい、和周波数成分(fRF_USB)は強め合って、ＲＦ端子９から出力されるＲＦ信号は、図２０に示すように、差周波数成分(fRF_LSB)が、和周波数成分(fRF_USB)に比べて抑圧され、レベルが低くなる。一般にＩＲＭから出力される差周波数成分(fRF_LSB)と和周波数成分(fRF_USB)のうち、いずれか一方のみが必要な信号であり、他方はイメージ信号と呼ばれるスプリアス成分となるので、できるだけレベルが低いことが望ましい。したがって、差周波数成分(fRF_LSB)の抑制量は大きければ大きいほどよいが、実際の抑圧量はＩＦ帯およびＬＯ波用の90度移相器６、７の移相量の精度に依存する。図１９の場合でいえば、ＩＦ帯90度移相器の移相量が９０度から５度ずれると、第１、第２のミクサ４、５から出力される差周波数成分(fRF_LSB)の位相差は１８５度となるため、合成しても完全には打ち消されず、和周波数成分（f_USB）とのレベル比は−３０ｄＢ以下まで低下する。
【０００６】
なお、図１９に示す従来技術によるＩＲＭにおいては、第２のミクサ５に入力するＩＦ信号の位相を第１のミクサ４に入力するＩＦ信号に対して90度進ませているが、これを90度遅らせることで、ＲＦ端子９において和周波数成分(f_USB)を抑制し、差周波数成分(f_LSB)を出力させることができる。同様に、第２のミクサ５に入力するＬＯ波の位相を第１のミクサ４に入力するＬＯ波に対して90度遅らせているが、これを90度進めることで、ＲＦ端子９において和周波数成分(f_USB)を抑制し、差周波数成分(f_LSB)を出力させることができる。この場合、和周波数成分（ｆ_USB）がスプリアス成分であり、差周波数成分(f_LSB)が所望信号となる。
【０００７】
【特許文献１】特開平９−１１６５７７号公報
【発明の開示】
【発明が解決しようとする課題】
【０００８】
従来の信号生成装置は上記のように構成されているため、ＩＦ帯の移相器の移相量が90度からずれると図２０に示す差周波数成分（fRF_LSB）の抑圧量が低下するという問題があった。また、ＩＦ帯の移相器はアナログ素子で構成されるため、温度などの外部環境の影響を受けて移相量の変動が生じ易く、特にＩＦ信号が広帯域な信号の場合や広帯域にわたって周波数が変化する場合、その帯域内のすべての周波数で高精度な90度の移相量を実現することは困難で、抑圧量が低下する問題があった。また、ＬＯ波用の移相器についても同様であり、その移相量が90度からずれた場合に、図２０に示すスプリアス成分である差周波数成分（fRF_LSB）の抑圧量が低下するという問題があった。
【０００９】
この発明は、上述のような課題を解決するためになされたもので、イメージリジェクションミクサを有する信号生成装置において、イメージリジェクションミクサから出力されるスプリアス成分の抑圧量を改善することを目的とする。
【課題を解決するための手段】
【００１０】
この発明に係わる信号生成装置は、イメージリジェクションミクサへ入力するＩＦ信号を、ダイレクトディジタルシンセサイザから入力することによりＩＦ帯の移相器を使用せずにイメージリジェクションミクサでＲＦ信号を得る構成であり、位相設定データを生成する位相データ生成部と、クロックを生成するクロック生成部と、互いに位相が90度異なる局部発振波を生成する局部発振波生成部と、前記位相データ生成部から位相が90度異なる位相設定データがそれぞれ入力されると共に、前記クロック生成部から同一のクロックがそれぞれ入力され、互いの位相が90度異なるＩＦ信号を出力する第１のＤＤＳと第２のＤＤＳと、前記第１のＤＤＳと前記第２のＤＤＳから出力されたＩＦ信号のそれぞれが入力されると共に、前記局部発振波生成部から出力された局部発振波のそれぞれが入力され、周波数変換する第１のミクサと第２のミクサと、を備え、前記第１のミクサと第２のミクサの出力を合成して出力するものである。
【発明の効果】
【００１１】
この発明は、位相データ生成部から位相が90度異なる位相設定データがそれぞれ入力されると共に、クロック生成部から同一のクロックがそれぞれ入力され、互いの位相が90度異なるＩＦ信号を出力する第１のＤＤＳと第２のＤＤＳから出力されたＩＦ信号のそれぞれをイメージリジェクションミクサに入力するので、ＩＦ帯の移相器を使用せずにイメージリジェクションミクサでＲＦ信号を得られ、イメージリジェクションミクサから出力されるスプリアス成分の抑圧量が改善された信号生成装置を得られる効果がある。
【発明を実施するための最良の形態】
【００１２】
実施の形態１．
図１は、この発明の実施の形態１に係わる信号生成装置を示す構成説明図である。まず、図１（ａ）について説明する。図中、１１は位相設定データを変換するデータ変換手段、１２は第２のＤＤＳである。なお、図１９に示す従来の高周波帯域信号生成装置と相当する構成要素については同一の番号を付して説明を省略する。
【００１３】
次に動作について説明する。位相データ生成手段１から出力された位相設定データは２分配され、一方は第１のＤＤＳ３に直接入力し、他方は位相設定データを変換するデータ変換手段１１を介して、第２のＤＤＳ１２に入力する。データ変換手段１１は、入力した位相設定データを変換して、第２のＤＤＳ１２から第１のＤＤＳに比べて位相が90度進んだＩＦ信号を出力するための位相設定データを出力する。これにより、第２のＤＤＳ１２からは、第１のＤＤＳ３から出力されるＩＦ信号に比べて90度位相が進んだＩＦ信号が出力される。このＩＦ信号と、第１のＤＤＳ３から出力されたＩＦ信号はそれぞれ、第1、第２のミクサ４、５に入力され、ＬＯ源１０からのＬＯ波と混合されてＲＦ信号に変換されて、ＲＦ端子９から出力される。
【００１４】
本実施の形態では、その移相量誤差によりイメージ抑圧比を劣化させる要因となるＩＦ帯の移相器を無くすことができる。そしてＤＤＳから出力されるＩＦ信号の位相はディジタルデータである位相設定データによって高精度に制御できるので、第２のＤＤＳ１２から出力されるＩＦ信号は第１のＤＤＳから出力されるＩＦ信号に対して正確に位相を90度進めることができる。したがって、図１９に示すＩＦ帯の移相器を用いた従来の高周波帯域信号生成装置に比べて、ＲＦ端子９から出力されるＲＦ信号におけるスプリアス成分（和周波数成分（f_USB）を出力する場合の差周波数成分（f_LSB））を十分、抑制できるという効果を得ることができる。
【００１５】
なお、本実施の形態では、第２のＤＤＳ１２から出力されるＩＦ信号の位相を第１のＤＤＳ３から出力されるＩＦ信号の位相に比べて９０度進めている（＋９０度）が、本発明はこれに限らず、第２のＤＤＳ１２から出力されるＩＦ信号の位相を第１のＤＤＳ３から出力されるＩＦ信号の位相に比べて９０度遅らせる（−９０度）ことで、和周波数成分(f_USB)を抑制し、差周波数成分(f_LSB)のみを出力することができる。
【００１６】
また、本実施の形態ではＤＤＳをＩＦ信号の生成に用いているが、本発明はこれに限らず、ＩＲＭにおけるＬＯ波の生成に適用することもできる。すなわち、図１９に示す従来例におけるＩＦ帯の移相器６ではなく、ＬＯ波用の移相器７の移相量誤差によるスプリアスレベル劣化を抑制するため、位相が90度異なる２つのＬＯ波を生成するために２つのＤＤＳを用いてもよい。この場合にも差周波数成分(f_LSB)を抑制し、和周波数成分(f_USB)のみを出力して低スプリアスなＲＦ信号を得ることができる。また、第２のミクサ５に入力するＬＯ波の位相を第１のミクサ４に入力するＬＯ波の位相に比べて90度進める（＋９０度）ことで、和周波数成分(f_USB)を抑制し、差周波数成分(f_LSB)のみを出力することができる。
【００１７】
また、第２のＤＤＳ１２に入力する位相設定データをデータ変換手段１１で変換するのではなく、データ変換手段１１を第１のＤＤＳ３の位相設定データ入力端子に接続して、第１のＤＤＳ３に入力する位相設定データを変換してもよい。また、データ変換手段１１とは別の、第２のデータ変換手段を第１のＤＤＳ３の位相設定データ入力端子に接続して、第１、第２のＤＤＳ３、１２の双方の位相設定データを変換してもよい。
【００１８】
また、本実施の形態ではＤＤＳをＩＦ信号の生成に用いているが、本発明はこれに限らず、ＩＲＭにおけるＩＦ信号とＬＯ波の双方の生成に適用することもできる。すなわち、図１９に示す従来例におけるＩＦ帯の移相器６だけではなく、ＬＯ波用の移相器７の移相量誤差によるスプリアスレベル劣化も抑制するため、位相が90度異なる２つのＩＦ信号と、位相が90度異なる２つのＬＯ波とを生成するために、合計４つのＤＤＳを用いてもよい。この場合にも差周波数成分(f_LSB)を抑制し、和周波数成分(f_USB)のみを出力して低スプリアスなＲＦ信号を得ることができる。この場合にも、第１、第２のミクサ４，５に入力するＩＦ信号とＬＯ波の位相関係により差周波数成分(f_LSB)のみを出力して低スプリアスなＲＦ信号を得ることができる。
【００１９】
また、図１（ｂ）に示すように、９０度位相の異なるＬＯ波の生成に、＋４５度の移相器と−４５度の移相器を用いている場合には、第２のデータ変換手段１７を第１のＤＤＳ３の位相設定データ入力端子の前に設け、第１のＤＤＳ３から出力されるＩＦ信号の位相と第２のＤＤＳ１２から出力されるＩＦ信号の位相をそれぞれ、−４５度、＋４５度とすることで、図１（ａ）に示した構成の信号生成装置と同様の機能を有し、同様の効果を得ることができる。
【００２０】
実施の形態２．
図２は、この発明の実施の形態２に係わる信号生成装置を示す構成説明図である。図中、１３は位相設定データを補正するデータ補正手段である。なお、図１９に示す従来の高周波帯域信号生成装置および図１に示す実施の形態１と相当する構成要素については同一の番号を付して説明を省略する。
【００２１】
次に動作について説明する。位相データ生成手段１から出力された位相設定データは２分配され、一方は第１のＤＤＳ３に直接入力し、他方は位相設定データを変換するデータ変換手段１１と位相設定データを補正するデータ補正手段１３を介して、第２のＤＤＳ１２に入力する。データ補正手段１３は、第２のＤＤＳ１２から出力されるＩＦ信号の位相を微小値εだけ変化させるよう、位相設定データを変更する。この変化量εは、例えばＬＯ波用の移相器７の持つ移相量誤差と等しく設定する。この結果、第２のＤＤＳ１２から出力されて第２のミクサ５に入力するＩＦ信号の位相は９０＋εとなる。一方、第２のミクサ５に入力するＬＯ波の位相はＬＯ波用の移相器７の持つ移相量誤差により−９０+εであるから、第２のミクサ５の内部でＩＦ信号とＬＯ波が混合されてＲＦ信号に周波数変換される際に差周波数成分（f_LSB）については移相量誤差εがキャンセルされるので、第１のミクサ４から出力される差周波数成分（f_LSB）との位相差は１８０度となり、第１のミクサ４から出力される差周波数成分（f_LSB）との合成の際に完全に打ち消される。一方、和周波数成分（f_USB）については第１のミクサ４から出力される和周波数成分（f_USB）との位相差は２εとなるが、合成した信号の振幅が若干低下する程度で大きな影響はない。したがってRF端子９から出力されるRF信号においては，イメージ信号である差周波数成分(fRF_LSB)は抑制され，所望信号である和周波数成分(fRF_USB)だけが出力させることができ、スプリアス成分を十分、抑制できるという効果を得ることができる。
【００２２】
なお、本発明は、第２のＤＤＳ１２から出力されるＩＦ信号の位相を第１のＤＤＳ３から出力されるＩＦ信号の位相に比べて９０度遅らせ、さらにデータ補正手段１３により第２のＤＤＳ１２から出力されるＩＦ信号の位相を微小値εだけ変化させて、ＩＦ信号の位相を−９０−εとすることで、イメージ信号である和周波数成分(f_USB)を抑制し、差周波数成分(f_LSB)のみを出力する信号生成装置に適用することも可能である。
【００２３】
また、ＩＦ信号ではなく、ＬＯ波の生成にＤＤＳを用いる場合にも適用可能であり、この場合には、ＩＦ帯の移相器の移相量誤差をデータ補正手段１３で補正することになる。
【００２４】
また、データ変換手段１１とデータ補正手段１３のいずれか一方または双方を、第１のＤＤＳ３の位相設定データ入力端子の前に接続してもよい。また、データ変換手段１１とデータ補正手段１３の他に、第２のデータ変換手段と第２のデータ補正手段を、第１のＤＤＳ３の位相設定データ入力端子の前に接続して、第１、第２のＤＤＳ３、１２の双方の位相設定データを補正してもよい。
【００２５】
なお、本発明においてデータ補正手段１３は、ＬＯ用の移相器７の移相量誤差に相当する位相変化εが生じるように位相設定データを補正するが、補正する対象はＬＯ用の移相器７の移相量誤差に限らず、例えば、第１のミクサ４の出力部に設けられたＲＦ信号を伝送する線路と、第２のミクサ５の出力部に設けられたＲＦ信号を伝送する線路の長さの差による位相のずれを含めて補正してもよい。第１、第２のミクサから出力される２つのＲＦ信号の位相が正確に同相または１８０度の位相差であっても、その出力部の伝送線路の長さが異なると、２つのＲＦ信号を合成した際に、差周波数成分が完全にはキャンセルされなくなる。このようなＬＯ波用の移相器７以外で生じる位相の差についても位相データ補正手段１３にて補正することで、差周波数成分を十分抑制できることになる。他の位相ずれの要因としては第１、第２のミクサ間のＬＯ波やＩＦ信号およびＲＦ信号の干渉などもあり、本発明ではこれらを含めて補正して、スプリアスであるイメージ信号成分を抑制することができる。
【００２６】
実施の形態３．
図３は、この発明の実施の形態３に係わる信号生成装置を示す構成説明図である。図中、１４はクロックの位相を変換するクロック変換手段である。なお、図１９に示す従来の高周波帯域信号生成装置および図１、図２に示す実施の形態１、２と相当する構成要素については同一の番号を付して説明を省略する。
【００２７】
次に動作について説明する。位相データ生成手段１から出力された位相設定データは２分配され、第１のＤＤＳ３と第２のＤＤＳ１２に入力する。一方、クロック源２からのクロックも２分配され、一方は第１のＤＤＳ３に直接、他方は第２のＤＤＳ１２にクロック変換手段１４を介して入力する。クロック変換手段１４は、クロックの位相を90度ずらして出力する。したがって第１のＤＤＳ３と第２のＤＤＳ２に入力するクロックは位相が90度異なるので、２つのＤＤＳから出力されるＩＦ信号も位相が90度異なる。これらのＩＦ信号はそれぞれ、第1、第２のミクサ４、５に入力され、ＬＯ源１０からのＬＯ波と混合されてＲＦ信号に変換されて、ＲＦ端子９から出力される。
【００２８】
本実施の形態では、その移相量誤差によりイメージ抑圧比を劣化させる要因となるＩＦ帯の移相器が無い。ＤＤＳから出力されるＩＦ信号の位相はクロックの位相によってきまり、クロックの位相はＩＦ帯の移相器の移相量に比べて十分高精度に制御できるので、２つのＤＤＳから出力されるＩＦ信号の位相差を高精度に90度とすることが可能である。したがって、ＲＦ端子９から出力されるＲＦ信号において、スプリアス成分を十分、抑制できるという効果を得ることができる。また、クロック変換手段１４を第１のＤＤＳ３のクロック入力端子の前に接続して、第１のＤＤＳ３に入力するクロックがクロック変換手段１４を経るようにしても同様の効果を得ることができる。また、第２のクロック変換手段を第１のＤＤＳ３のクロック入力端子の前に接続して、第１、第２のＤＤＳ３、１２の双方のクロックの位相を変化させてもよい。
【００２９】
なお、第２のＤＤＳ１２から出力されるＩＦ信号の位相を第１のＤＤＳ３から出力されるＩＦ信号の位相に比べて９０度遅らせて−９０度とすることで、和周波数成分(f_USB)を抑制し、差周波数成分(f_LSB)のみを出力する信号生成装置に本発明を適用することも可能である。
【００３０】
また、ＩＦ信号ではなく、ＬＯ波の生成にＤＤＳを用いる場合にも適用可能である。
【００３１】
実施の形態４．
図４は、この発明の実施の形態４に係わる信号生成装置を示す構成説明図である。図中、１５はクロックの位相を補正するクロック補正手段である。なお、図１９に示す従来の高周波帯域信号生成装置および図１、図２、図３に示す実施の形態１、２、３と相当する構成要素については同一の番号を付して説明を省略する。
【００３２】
次に動作について説明する。位相データ生成手段１から出力された位相設定データは２分配され、第１のＤＤＳ３と第２のＤＤＳ１２に入力する。一方、クロック源２からのクロックも２分配され、一方は第１のＤＤＳ３に直接、他方は第２のＤＤＳ１２にクロック変換手段１４とクロック補正手段１５を介して入力する。クロック補正手段１５は、クロック変換手段１４から出力されたクロックの位相を微小値εだけ変化させる。この変化量εは、ＬＯ波用の移相器７の持つ移相量誤差と等しく設定する．この結果、第２のＤＤＳ１２から出力されて第２のミクサ５に入力するＩＦ信号の位相は９０＋εとなる。一方、第２のミクサ５に入力するＬＯ波の位相は−９０+εであるから、第２のミクサ５の内部でＩＦ信号とＬＯ波が混合されてRF信号に周波数変換される際に差周波数成分（f_LSB）については移相量誤差εがキャンセルされるので、第１のミクサ４から出力される差周波数成分（f_LSB）との位相差は１８０度となり、第１のミクサ４から出力される差周波数成分（f_LSB）との合成の際に完全に打ち消される。一方、和周波数成分（f_USB）については第１のミクサ４から出力される和周波数成分（f_USB）との位相差は２εとなるが、合成した信号の振幅が若干低下する程度で大きな影響はない。したがってRF端子９から出力されるRF信号においては，イメージ信号である差周波数成分(fRF_LSB)は抑制され，所望信号である和周波数成分(fRF_USB)だけが出力させることができ、スプリアス成分を十分、抑制できるという効果を得ることができる。
【００３３】
なお、本実施の形態では、第２のＤＤＳ１２から出力されるＩＦ信号の位相をεだけ変化させるために、クロック補正手段１５により第２のＤＤＳ１２に入力するクロックの位相をＬＯ波用の移相器７の持つ移相量誤差であるεだけ変化させたが、クロックの位相の変化量とＤＤＳから出力されるＩＦ信号の位相の変化量が異なる場合には、ＤＤＳから出力されるＩＦ信号の位相の変化がεとなるようにクロックの位相を変化させることはいうまでもない。
【００３４】
また、本発明は、クロック変換手段１４とクロック補正手段１５により第２のＤＤＳ１２に入力するクロックの位相を、第１のＤＤＳ３に入力するクロックの位相に対して−９０−ε度とすることで、第２のＤＤＳ１２から出力されるＩＦ信号の位相を第１のＤＤＳ３から出力されるＩＦ信号の位相に対して−９０−ε度として、イメージ信号である和周波数成分(f_USB)を抑制し、差周波数成分(f_LSB)のみを出力する信号生成装置に適用することも可能である。
【００３５】
また、クロック変換手段１４とクロック補正手段１５のいずれか一方、または両方を第１のＤＤＳ３のクロック入力端子の前に接続してもよい。
【００３６】
さらにクロック変換手段１４とクロック補正手段１５とは異なる、第２のクロック変換手段および第２のクロック補正手段を第１のＤＤＳ３のクロック入力端子の前に接続してもよい。
【００３７】
実施の形態５．
図５は、この発明の実施の形態５に係わる信号生成装置を示す構成説明図である。図中、１６は第１、第２のＤＤＳ３および１２から出力されたＩＦ信号の経路を切り替える切り替えスイッチであり、この図では二極単投型スイッチを例示して説明する。なお、図１９に示す従来の高周波帯域信号生成装置および図１、図２、図３に示す実施の形態１、２、３と相当する構成要素については同一の番号を付して説明を省略する。
【００３８】
次に動作について説明する。本実施の形態は、図２に示す実施の形態２に示す高周波帯域信号生成装置において、第１、第２のＤＤＳ３、１２の出力に切り替えスイッチ１６を設けて、第１、第２のミクサ４および５に入力するＩＦ信号を切り替えられるようにしたものである。切り替えスイッチ１６を図５に示す経路に設定すると、図１と同じ動作を行い、図２０に示すようにＬＯ波とＩＦ信号の差周波数成分（fRF_LSB）を抑制し、和周波数成分(fRF_USB)だけを出力する。次に切り替えスイッチを切り替えて、第１のＤＤＳ１から出力されるＩＦ信号を第２のミクサ５に、第２のＤＤＳ１２から出力されるＩＦ信号を第１のミクサ４に入力すると、第１、第２のミクサ４、５から出力されるＬＯ波とＩＦ信号の差周波数成分（fRF_LSB）と和周波数成分(fRF_USB)の位相が変化し、ＲＦ端子９から得られるＲＦ信号は、図６に示すように和周波数成分(fRF_USB)が抑制され、差周波数成分（fRF_LSB）のみが出力される。
【００３９】
本実施の形態において、第１、第２のＤＤＳ３および１２から出力されるＩＦ信号の周波数範囲が0(DC)からΔｆまでとすると、ＩＲＭ８から出力される周波数範囲は、切り替えスイッチ１６による経路の変更により、ＬＯ周波数（f_LO）よりも高い和周波数成分を出力した場合に、f_LOからf_LO＋Δｆまで、ＬＯ周波数よりも低い差周波数成分を出力した場合にはf_LOからf_LO−Δｆまでとなり、２Δｆの周波数範囲にわたってＲＦ信号を出力することができる。図１９に示す従来技術や、実施の形態１から３に示す信号生成装置では和周波数成分(fRF_USB)のみが出力されるので、得られるＲＦ信号の周波数範囲はf_LOからf_LO＋ΔｆまでのΔｆである。したがって、本実施の形態では、得られるＲＦ信号の周波数範囲をＤＤＳが出力する周波数範囲の2倍にできるという効果を得られる。
【００４０】
なお、本実施の形態では本発明を図２などのデータ補正手段１３を用いた構成に適用した場合を例示して説明したが、本発明はこれに限らず、データ補正手段１３の無い、図１に示す実施の形態１に示す信号生成装置にも適用できる。この場合にも、出力されるＲＦ信号の周波数範囲をＤＤＳが出力する周波数範囲の２倍にできるという効果を得られる。
【００４１】
実施の形態６．
図７は、この発明の実施の形態６に係わる信号生成装置を示す構成説明図である。本実施の形態は、図１に示す実施の形態１に示す信号生成装置において、第１、第２のＤＤＳ３、１２の入力側に切り替えスイッチ１６を設けて、第１、第２のＤＤＳ３および１２に入力する位相設定データを切り替えられるようにしたものである。構成要素はこれまでに示した従来の高周波帯域信号生成装置およびこれまでに示した実施の形態と同じなので、同一の番号を付して説明を省略する。
【００４２】
次に動作について説明する。本実施の形態では、切り替えスイッチ１６を図７に示す経路に設定すると、図１に示す実施の形態１の信号生成装置と同じ動作を行う。すなわち、図２０に示すようにＬＯ波とＩＦ信号の差周波数成分（fRF_LSB）を抑制し、和周波数成分(fRF_USB)だけを出力する。次に切り替えスイッチを切り替えて、位相データ生成手段から出力される位相設定データを第２のＤＤＳ１２に、データ変換手段１１から出力される位相設定データを第１のＤＤＳ３に入力すると、第１、第２のＤＤＳ３、１２から出力されるＩＦ信号の位相が変化し、これを入力した第１、第２のミクサ４、５から出力されるＬＯ波とＩＦ信号の差周波数成分（fRF_LSB）と和周波数成分(fRF_USB)の位相が変化して、ＲＦ端子９から得られるＲＦ信号は、図６に示すように和周波数成分(fRF_USB)が抑制され、差周波数成分（fRF_LSB）のみが出力される。
【００４３】
本実施の形態において、第１、第２のＤＤＳ３および１２から出力されるＩＦ信号の周波数範囲が0(DC)からΔｆまでとすると、ＩＲＭ８から出力される周波数範囲は、切り替えスイッチ１６による経路の変更により、ＬＯ周波数（f_LO）よりも高い和周波数成分を出力した場合に、f_LOからf_LO＋Δｆまで、ＬＯ周波数よりも低い差周波数成分を出力した場合にはf_LOからf_LO−Δｆまでとなり、２Δｆの周波数範囲にわたってＲＦ信号を出力することができる。図１９に示す従来技術や、実施の形態１から３に示す信号生成装置では和周波数成分(fRF_USB)のみが出力されるので、得られるＲＦ信号の周波数範囲はf_LOからf_LO＋ΔｆまでのΔｆである。したがって、本実施の形態では、得られるＲＦ信号の周波数範囲をＤＤＳが出力する周波数範囲の2倍にできるという効果を得られる。
【００４４】
なお、本実施の形態では、データ変換手段１１の出力を切り替えスイッチ１６に入力しているが、本発明はこれに限らず、図８に示すように、データ変換手段１１の後段にデータ補正手段１３を接続し、その出力を切り替えスイッチに入力してもよい。この場合にも、出力されるＲＦ信号の周波数範囲をＤＤＳが出力する周波数範囲の2倍にできるという効果を得られるとともに、ＬＯ用の移相器７の移相量誤差εを補正して、和周波数成分(fRF_USB)を出力する場合にはイメージ信号である差周波数成分（fRF_LSB）を十分抑制し、差周波数成分(fRF_LSB)を出力する場合にはイメージ信号である和周波数成分（fRF_USB）を十分抑制して、スプリアスの小さいＲＦ信号を得ることができる。
【００４５】
実施の形態７．
図９は、この発明の実施の形態７に係わる信号生成装置を示す構成説明図である。本実施の形態は、図３に示す実施の形態３に示す信号生成装置において、第１、第２のＤＤＳ３、１２のクロック入力端子の入力側に切り替えスイッチ１６を設けて、第１、第２のＤＤＳ３、１２に入力するクロックを切り替えられるようにしたものである。構成要素はこれまでに示した従来の高周波帯域信号生成装置およびこれまでに示した実施の形態と同じなので、同一の番号を付して説明を省略する。
【００４６】
次に動作について説明する。本実施の形態では、切り替えスイッチ１６を図９に示す経路に設定すると、図３に示す実施の形態３の信号生成装置と同じ動作を行う。すなわち、図２０に示すようにＬＯ波とＩＦ信号の差周波数成分（fRF_LSB）を抑制し、和周波数成分(fRF_USB)だけを出力する。次に切り替えスイッチを切り替えて、クロック源２から出力されるクロックを第２のＤＤＳ１２に、クロック変換手段１４から出力されるクロックを第１のＤＤＳ３に入力すると、第１、第２のＤＤＳ３、１２から出力されるＩＦ信号の位相が変化し、これを入力した第１、第２のミクサ４、５から出力されるＬＯ波とＩＦ信号の差周波数成分（fRF_LSB）と和周波数成分(fRF_USB)の位相が変化して、ＲＦ端子９から得られるＲＦ信号は、図６に示すように和周波数成分(fRF_USB)がイメージ信号となって抑制され、差周波数成分（fRF_LSB）のみが出力される。
【００４７】
本実施の形態において、第１、第２のＤＤＳ３および１２から出力されるＩＦ信号の周波数範囲が0(DC)からΔｆまでとすると、ＩＲＭ８から出力される周波数範囲は、切り替えスイッチ１６による経路の変更により、ＬＯ周波数（f_LO）よりも高い和周波数成分を出力した場合に、f_LOからf_LO＋Δｆまで、ＬＯ周波数よりも低い差周波数成分を出力した場合にはf_LOからf_LO−Δｆまでとなり、２Δｆの周波数範囲にわたってＲＦ信号を出力することができる。なお、図１９に示す従来技術や、実施の形態１から３に示す信号生成装置では和周波数成分(fRF_USB)のみが出力されるので、得られるＲＦ信号の周波数範囲はf_LOからf_LO＋ΔｆまでのΔｆである。したがって、本実施の形態では、得られるＲＦ信号の周波数範囲をＤＤＳが出力する周波数範囲の2倍にできるという効果を得られる。
【００４８】
なお、本実施の形態では、クロック変換手段１４の出力を切り替えスイッチ１６に入力しているが、本発明はこれに限らず、図１０に示すように、データ変換手段１１の後段にデータ補正手段１３に接続し、その出力を切り替えスイッチに入力してもよい。この場合にも、出力されるＲＦ信号の周波数範囲をＤＤＳが出力する周波数範囲の2倍にできるという効果を得られるとともに、ＬＯ用の移相器７の移相量誤差εを補正して、和周波数成分(fRF_USB)を出力する場合にはイメージ信号である差周波数成分（fRF_LSB）を十分抑制し、差周波数成分(fRF_LSB)を出力する場合にはイメージ信号である和周波数成分（fRF_USB）を十分抑制して、スプリアスの小さいＲＦ信号を得ることができる。
【００４９】
実施の形態８．
実施の形態１から７に示す信号生成装置を、送受信機の局部発振源、送信機の変調器に適用することで、低スプリアスな送受信機を得ることができる。
【００５０】
実施の形態９．
図１１は、この発明の実施の形態９に係わる信号生成装置を示す構成説明図である。図中、２１は第１のＩＦ信号用リミタ、２２は第２のＩＦ信号用リミタであり、本実施の形態は、図１（ａ）に示す実施の形態１に示す信号生成装置において、第１のＤＤＳ３の出力とＩＲＭ８を構成する第１のミクサ４のＩＦ端子との間、および、第２のＤＤＳ１２の出力とＩＲＭ８を構成する第２のミクサ５のＩＦ端子との間にそれぞれ、第１のＩＦ信号用リミタ２１と、第２のＩＦ信号用リミタ２２を設けた構成である。したがって、図１（ａ）に示す実施の形態１と相当する構成要素については同一の番号を付して説明を省略する。
【００５１】
次に動作について説明する。本実施の形態では、第１、第２のＤＤＳ３、１２の後段にそれぞれ、第１、第２のＩＦ信号用リミタ２１、２２が設けられている。２つのＩＦ信号用リミタは同一の特性を有し、その出力信号の振幅を等しくすることができる。ＩＲＭ８では第１、第２のミクサ４、５のＲＦ端子９から出力されるイメージ信号が等振幅かつ逆位相であれば、高いイメージ抑圧比を得ることができる。イメージ信号が等振幅であるためには、ミクサが同一の変換利得を有している場合には、その入力信号であるＩＦ信号が等振幅であることが必要となる。本実施の形態では、２つのＤＤＳから出力されるＩＦ信号を、ＩＦ信号用リミタを用いて等振幅としてからミクサのＩＦ端子に入力するので、この条件をみたすことができる。
【００５２】
第１、第２のＤＤＳ ３、１２の出力は一般には同一振幅となる場合が多いが、ＤＤＳの出力端子とＩＲＭの入力端子とを、ＩＣや基板上の配線や、ケーブルなどで接続した場合には、その通過損失差により、ＩＲＭ８を構成する第１、第２のミクサ４、５のＩＦ端子に入力する信号の振幅に差が生じる。このような振幅差により、イメージ抑圧比が劣化するが、本実施の形態ではこうした劣化を抑制することができる。
【００５３】
また、本実施の形態においては、第１、第２のＩＦ信号用リミタ２１、２２は、ＩＲＭ８を構成する第１、第２のミクサ４、５のＩＦ端子にできるだけ近い位置に設けたほうが、ＩＲＭ８を構成する第１、第２のミクサのＩＦ端子に入力する信号の振幅を同一の値にすることができてイメージ抑圧比の劣化を抑制でき、発明の効果をより高めることができる。例えば、本実施の形態をＩＣ上に構成する場合には、第１、第２のＩＦ信号用リミタは、ＩＲＭ８を構成する第１、第２のミクサ４、５のＩＦ端子の直近に配置する。
【００５４】
なお、本実施の形態では、実施の形態１に示す信号生成装置において、第１、第２のＤＤＳ３、１２の出力と第１、第２のミクサのＩＦ端子との間に、第１、第２のＩＦ信号用リミタ２１、２２を設けたが、本発明はこれに限らず、実施の形態２に示す信号生成装置にも適用できる。図１２はこのような本発明の、別の実施の形態を示す構成図であり、図２に示す実施の形態２に示す信号生成装置において、第１のＤＤＳ３とＩＲＭ８を構成する第１のミクサ４との間および、第２のＤＤＳ１２とＩＲＭ８を構成する第２のミクサ５との間にそれぞれ、第１、第２のＩＦ信号用リミタ２１、２２を接続したものである。
【００５５】
この実施の形態では、データ補正手段１３により、第２のＤＤＳ１２の出力するＩＦ信号の位相を補正するとともに、第１、第２のＤＤＳ４、５のＩＦ端子に入力する信号の振幅を等しくすることで、さらにＩＲＭ８のイメージ抑圧比を改善して、ＲＦ端子９に出力されるイメージ信号が小さくなるようにすることができる。
【００５６】
さらに、本発明の別の実施の形態として、実施の形態３や実施の形態４に示す信号生成装置へ適用した構成も可能である。図１３、図１４はそれぞれ、実施の形態３、実施の形態４で例示した構成に本発明を適用した場合の信号生成装置の構成である。図中、実施の形態３、４と相当する構成要素については同一の番号を付して説明を省略する。
【００５７】
図１３、図１４に示す実施の形態はいずれも、第１、第２のＤＤＳの出力とＩＲＭ８を構成する第１、第２のミクサ４、５のＩＦ端子との間に、第１、第２のＩＦ信号用リミタ２１、２２を設けており、これにより、第１、第２のミクサ４、５のＩＦ端子に入力する信号の振幅を等しくして、ＩＲＭ８のイメージ信号抑圧比を改善し、ＲＦ端子９に出力されるイメージ信号が小さくなるようにすることができる。
【００５８】
さらに、本発明の別の実施の形態として、実施の形態５や実施の形態６や実施の形態７で例示した信号生成装置へ適用した構成も可能である。これらの実施の形態においても、第１、第２のＤＤＳの出力とＩＲＭ８を構成する第１、第２のミクサ４、５のＩＦ端子との間に、第１、第２のＩＦ信号用リミタ２１、２２を設けることで、第１、第２のミクサ４、５のＩＦ端子に入力する信号の振幅を等しくして、ＩＲＭ８のイメージ信号抑圧比を改善し、ＲＦ端子９に出力されるイメージ信号が小さくなるようにすることができる。
【００５９】
なお、本発明の実施の形態では、第１、第２のＤＤＳの出力とＩＲＭ８を構成する第１、第２のミクサ４、５のＩＦ端子との間に、第１、第２のＩＦ信号用リミタ２１、２２を設けた場合を例示して説明したが、本発明はこれに限らず、リミタに代わって、入力信号の振幅を適当な大きさに調整して出力する振幅調整回路を設けてもよい。この場合でも、リミタを用いた場合と同様の効果を得ることができる。さらに、あえて第１、第２のミクサのＩＦ端子に入力するＩＦ信号の振幅に差をつけることで、第１、第２のミクサの変換利得の差や、第１、第２のミクサが合成されるまでの経路の通過損失の差を吸収して、ＲＦ端子９に出力されるイメージ信号がさらに小さくなるようにすることができる。
【００６０】
実施の形態１０．
図１５は、この発明の実施の形態１０に係わる信号生成装置を示す構成説明図である。本実施の形態は、図１に示す実施の形態１の信号生成装置において、第１、第２のＲＦ信号用リミタ２３、２４を、ＩＲＭ８を構成する第１、第２のミクサ４、５のＲＦ端子９の後段に設けて、２つのミクサから出力されるＲＦ帯の所望信号およびイメージ信号の振幅を等しくしてから合成するようにしたものである。２つのミクサから出力されるイメージ信号がキャンセルするよう、第１、第２のＲＦ信号用リミタ２３、２４により両者の振幅を等しくすることで、ＩＲＭ８のイメージ信号抑圧比を改善し、ＲＦ端子９に出力されるイメージ信号が小さくなるようにすることができる。
【００６１】
なお、本発明の別の実施の形態として、第１、第２のＲＦ信号用リミタ２３、２４を、ＩＲＭ８を構成する第１、第２のミクサ４、５のＲＦ端子９の後段に設ける構成を、実施の形態２から実施の形態７に示す信号生成装置へ適用することも可能である。例えば、図１６は、データ補正手段１３を備えた実施の形態２に適用した場合の信号生成装置の構成である。このような実施の形態による信号生成装置においても、２つのミクサから出力されるＲＦ帯の所望信号およびイメージ信号の振幅を等しくしてから合成するので、ＩＲＭ８のイメージ信号抑圧比を改善し、ＲＦ端子９に出力されるイメージ信号が小さくなるようにすることができる。
【００６２】
なお、本発明の実施の形態では、第１、第２のＲＦ信号用リミタ２３、２４を設けたが、本発明はこれに限らず、リミタに代わって、入力信号の振幅を適当な大きさに調整して出力する振幅調整回路を設けてもよい。この場合でも、リミタを用いた場合と同様の効果を得ることができる。さらに、あえて２つのＲＦ信号用リミタから出力されるＲＦ信号の振幅に差をつけることで、第１、第２のミクサの変換利得の差や、第１、第２のミクサが合成されるまでの経路の通過損失の差を吸収して、ＲＦ端子９に出力されるイメージ信号がさらに小さくなるようにすることができる。
【００６３】
実施の形態１１．
図１７は、この発明の実施の形態１１に係わる信号生成装置を示す構成説明図である。本実施の形態は、図１に示す実施の形態１の信号生成装置において、第１、第２のＬＯ波用リミタ２５、２６を、ＩＲＭ８を構成する第１、第２のミクサ４、５のＬＯ端子の前段に設けて、２つのミクサに等振幅のＬＯ波を入力するようにしたものである。これによりＬＯ波の振幅のばらつきによる第１、第２のミクサ４、５の変換利得の変動を抑え、ＲＦ端子９に出力される所望信号およびイメージ信号の振幅を等しくして、ＩＲＭ８のイメージ信号抑圧比を改善し、ＲＦ端子９に出力されるイメージ信号が小さくなるようにすることができる。
【００６４】
また、本発明の別の実施の形態として、第１、第２のＬＯ波用リミタ２５、２６を、ＩＲＭ８を構成する第１、第２のミクサ４、５のＬＯ端子の前段に設ける構成を、実施の形態２から実施の形態７に示す信号生成装置へ適用することも可能である。この場合でも、ＬＯ波の振幅のばらつきによる第１、第２のミクサ４、５の変換利得の変動を抑え、ＲＦ端子９に出力される所望信号およびイメージ信号の振幅を等しくして、ＩＲＭ８のイメージ信号抑圧比を改善し、ＲＦ端子９に出力されるイメージ信号が小さくなるようにすることができる。
【００６５】
なお、本発明の実施の形態では、第１、第２のＬＯ波用リミタ２５、２６を設けたが、本発明はこれに限らず、リミタに代わって、入力信号の振幅を適当な大きさに調整して出力する振幅調整回路を設けてもよい。この場合でも、リミタを用いた場合と同様の効果を得ることができる。さらに、あえて２つのＬＯ波用リミタから出力されるＬＯ波の振幅に差をつけることで、第１、第２のミクサの変換利得の差や、第１、第２のミクサが合成されるまでの経路の通過損失の差を吸収して、ＲＦ端子９に出力されるイメージ信号がさらに小さくなるようにすることができる。
【００６６】
実施の形態１２．
図１８は、この発明の実施の形態１２に係わる信号生成装置を示す構成説明図である。本実施の形態は、図１に示す実施の形態１の信号生成装置において、第１、第２のＤＤＳ３、１２とＩＲＭ８を構成する第１、第２のミクサ４、５のＩＦ端子との間に、第１、第２のＩＦ信号用リミタ２１、２２を設けるとともに、第１、第２のＬＯ波用リミタ２５、２６を、ＩＲＭ８を構成する第１、第２のミクサ４、５のＬＯ端子の前段に設けて、２つのミクサに等振幅のＬＯ波を入力するようにしたものである。これにより第１、第２のミクサ４、５のＩＦ端子に入力するＩＦ信号の振幅とＬＯ端子に入力するＬＯ波の振幅を等しくして、ＲＦ端子９に出力される所望信号およびイメージ信号の振幅を等しくし、ＩＲＭ８のイメージ信号抑圧比を改善して、ＲＦ端子９に出力されるイメージ信号が小さくなるようにすることができる。
【００６７】
また、本発明の別の実施の形態として、第１、第２のＤＤＳ３、１２とＩＲＭ８を構成する第１、第２のミクサ４、５のＩＦ端子との間に、第１、第２のＩＦ信号用リミタ２１、２２を設けるとともに、第１、第２のＬＯ波用リミタ２５、２６を、ＩＲＭ８を構成する第１、第２のミクサ４、５のＬＯ端子の前段に設けて、２つのミクサに等振幅のＬＯ波を入力するようにした構成を、実施の形態２から実施の形態７に示す信号生成装置へ適用することも可能である。この場合でも、第１、第２のミクサ４、５のそれぞれのＩＦ端子に入力するＩＦ信号の振幅とＬＯ端子に入力するＬＯ波の振幅を等しくして、ＲＦ端子９に出力される所望信号およびイメージ信号の振幅を等しくし、ＩＲＭ８のイメージ信号抑圧比を改善して、ＲＦ端子９に出力されるイメージ信号が小さくなるようにすることができる。
【００６８】
なお、本実施の形態では、ＩＦ信号とＬＯ波に対してリミタを適用したが、本発明はこれに限らず、ＩＦ信号とＲＦ信号に対してリミタを適用すること、ＲＦ信号とＬＯ波に対してリミタを適用すること、さらにＩＦ信号とＲＦ信号とＬＯ波のすべてに対してリミタを適用することのいずれも可能である。この場合でも、ＩＲＭ８のイメージ信号抑圧比を改善して、ＲＦ端子９に出力されるイメージ信号が小さくなるようにすることができる。
【００６９】
なお、本発明の実施の形態では、リミタに代えて、入力信号の振幅を適当な大きさに調整して出力する振幅調整回路を設けてもよいことは言うまでもない。この場合でも、リミタを用いた場合と同様の効果を得ることができる。さらに、あえて２つのＬＯ波用リミタから出力されるＬＯ波の振幅に差をつけることで、第１、第２のミクサの変換利得の差や、第１、第２のミクサが合成されるまでの経路の通過損失の差を吸収して、ＲＦ端子９に出力されるイメージ信号がさらに小さくなるようにすることができるも言うまでもない。
【００７０】
実施の形態１３．
実施の形態９から１２に示す信号生成装置を、送受信機の局部発振源、送信機の変調器に適用することで、低スプリアスな送受信機を得ることができる。
【図面の簡単な説明】
【００７１】
【図１】この発明の実施の形態１による信号生成装置を示す構成説明図である。
【図２】この発明の実施の形態２による信号生成装置を示す構成説明図である。
【図３】この発明の実施の形態３による信号生成装置を示す構成説明図である。
【図４】この発明の実施の形態４による信号生成装置を示す構成説明図である。
【図５】この発明の実施の形態５による信号生成装置を示す構成説明図である。
【図６】この発明の実施の形態５による信号生成装置の出力スペクトラムを示す説明図である。
【図７】この発明の実施の形態６による信号生成装置を示す構成説明図である。
【図８】この発明の別の実施の形態による信号生成装置を示す構成説明図である。
【図９】この発明の実施の形態７による信号生成装置を示す構成説明図である。
【図１０】この発明の別の実施の形態による信号生成装置を示す構成説明図である。
【図１１】この発明の実施の形態９による信号生成装置を示す構成説明図である。
【図１２】この発明の別の実施の形態による信号生成装置を示す構成説明図である。
【図１３】この発明の別の実施の形態による信号生成装置を示す構成説明図である。
【図１４】この発明の別の実施の形態による信号生成装置を示す構成説明図である。
【図１５】この発明の実施の形態１０による信号生成装置を示す構成説明図である。
【図１６】この発明の別の実施の形態による信号生成装置を示す構成説明図である。
【図１７】この発明の実施の形態１１による信号生成装置を示す構成説明図である。
【図１８】この発明の実施の形態１２による信号生成装置を示す構成説明図である。
【図１９】従来の高周波帯域信号生成装置を示す構成説明図である。
【図２０】従来の高周波帯域信号生成装置の出力スペクトラムを示す説明図である。
【符号の説明】
【００７２】
１  位相データ生成手段、２  クロック源、３  第１のＤＤＳ、４  第１のミクサ、５  第２のミクサ、６  ＩＦ帯の90度移相器、７  ＬＯ波用９０度移相器、８  ＩＲＭ、９  ＲＦ端子、１０  ＬＯ源、１１  データ変換手段、１２  第２のＤＤＳ、１３  データ補正手段、１４  クロック変換手段、１５  クロック補正手段、１６  切り替えスイッチ、１７  第２のデータ変換手段、２１  第１のＩＦ信号用リミタ、２２  第２のＩＦ信号用リミタ、２３  第１のＲＦ信号用リミタ、２４  第２のＲＦ信号用リミタ、２５  第１のＬＯ波用リミタ、２６  第２のＬＯ波用リミタ。
【図１】
2009159604.tif 000003
【図２】
2009159604.tif 000004
【図３】
2009159604.tif 000005
【図４】
2009159604.tif 000006
【図５】
2009159604.tif 000007
【図６】
2009159604.tif 000008
【図７】
2009159604.tif 000009
【図８】
2009159604.tif 000010
【図９】
2009159604.tif 000011
【図１０】
2009159604.tif 000012
【図１１】
2009159604.tif 000013
【図１２】
2009159604.tif 000014
【図１３】
2009159604.tif 000015
【図１４】
2009159604.tif 000016
【図１５】
2009159604.tif 000017
【図１６】
2009159604.tif 000018
【図１７】
2009159604.tif 000019
【図１８】
2009159604.tif 000020
【図１９】
2009159604.tif 000021
【図２０】
2009159604.tif 000022